(57)【特許請求の範囲】
【請求項１】
凹面状の受皿をモータによって水平面内で回転動するように支持すると共に、該受皿上に球誘導樋を設け、該球誘導樋によって導かれた遊技球を該受皿の上面の中心位置に落下させ、該受皿が回転動することにより遊技球が該受皿の凹面に沿って揺動すると同時に遠心力を受けて不特定な動きをし、その後に該遊技球が該受皿の周囲に設けられた複数の入賞口のうちのいずれかから排出されるようにしたことを特徴とした弾球遊技機用入賞装置。
【請求項２】
受皿の上方にミラーを傾斜状に設け、該受皿中の遊技球の様子を前面から見られるようにした請求項１に記載の弾球遊技機用入賞装置。
【発明の詳細な説明】
【０００１】
【発明の属する技術分野】
本発明はパチンコ機等の弾球遊技機に設けられ遊技球の動きを面白くする入賞装置に関するものである。
【０００２】
【従来の技術】
例えばパチンコ機は、遊技盤面に多数の釘，風車，または、その他の回転役物等を配置することにより遊技球の動きに変化を持たせるこによりゲーム性を高めて遊技者を飽きさせないようにしている。
【０００３】
また、特開平８−３３６６３９号公報に示された遊技機の入賞装置は、ゴルフのグリーンに見たてた薄型錐体を上面に設けた回転板をモータにより水平面内で低速回転させ、遊技球がその上に導かれることによりその遊技球がＶ入賞口に入るか入らないかを見て面白さを演出しようとしたものであった。
【０００４】
【発明が解決しようとする課題】
ところで上記刊行物に示された構成の入賞装置は、遊技球の回転板上における滞留時間が短いために充分に楽しむ間もなく遊技球が外方に排出されてしまう欠点があった。
【０００５】
また、凹面状の受皿の中心部に複数の入賞口を形成し、該受皿上に落下させた遊技球が自重によって該受皿上にて揺動するようにし、いずれかの入賞口にその遊技球が入賞するようにしたものも知られているが、これでは遊技者がパチンコ機を叩いて振動させると、遊技球が特定の入賞口に入り易くなってしまうという問題があった。
【０００６】
そこで、本発明は適度な滞留時間が得られ遊技者が遊技球の面白い動きを視覚的に充分に楽しむことができるようにし、しかも外部から振動を加えるなどの行為によって特定の入賞口に遊技球が入り易くなるようなことのないようにするものである。
【０００７】
【課題を解決するための手段】
そのために本発明の弾球遊技機用入賞装置は、凹面状の受皿をモータによって水平面内で回転動するように支持すると共に、該受皿上に球誘導樋を設け、該球誘導樋によって導かれた遊技球を該受皿の上面の中心位置に落下させ、該受皿が回転動することにより遊技球が該受皿の凹面に沿って揺動すると同時に遠心力を受けて不特定な動きをし、その後に該遊技球が該受皿の周囲に設けられた複数の入賞口のうちのいずれかから排出されるようにしたことを特徴とする。
また本発明は上記入賞装置において、受皿の上方にミラーを傾斜状に設け、該受皿中の遊技球の様子を前面から見られるようにしたことを特徴とする。
【０００８】
【発明の実施の形態】
次に図面と共に本発明の実施の形態を説明する。図１にこの弾球遊技機用入賞装置Ａの要部を斜視図にて示し、図２〜図４にこれをパチンコ機の遊技盤１に設定した例を示す。上面が凹面状に窪んだ形態の受皿２は、その下面の偏心位置に設けられたボス３に回転用の支持軸４の上端部を挿通し該受皿２を水平に支持している。５は該受皿２の周囲を包囲している透明なプラスチック製の碗状の器筐、６は該器筐５の後方に設けられた正逆転可能なモータである。該器筐５の下側には、該モータの回転軸に固着された歯車８と、中間歯車９と、支持軸４に設けられた歯車１０とを噛合させてなる歯車伝動機構が設けられ、該モータ６の駆動により該伝動機構を介して受皿２が水平面内で回転動し得るようにしている。
【０００９】
該受皿２の周囲で該器筐５の周壁には、１つの特定入賞口１１と２つの通常入賞口１２，１３が適宜間隔を置いて形成されている。また、１４は該受皿２上に遊技球ａを導くために設けられた球誘導樋で、該球誘導樋１４は遊技盤１の前面上方部に設けられた普通電動役物１５に入った遊技球ａを案内樋１６を経て流入させることにより受皿２の上面の中心位置に落下させる。なお、１７は案内樋１６に設けられた球検出センサ、１８は該受皿２の遊技球ａを様子を前面から見易くするために受皿２の上方に傾斜状に設けられたミラーである。
【００１０】
また、１９は特定入賞口１１に入賞した遊技球ａを遊技盤１の前面に設けられた特定領域口２０に案内する通過口、２１は該特定領域口２０の内部に設けられた球検出センサ、２２，２３は通常入賞口１２，１３に入った遊技球を検出する球検出センサである。なお球検出センサ１７が遊技球の通過を検出するとモータ６を作動させ受皿２を一定方向に５秒間正転させた後、２秒間逆転させ、その後さらに５秒間正転させ、２秒間逆転させ、球検出センサ２１または球検出センサ２２，２３が遊技球を検出するまでこの正転と逆転を交互に繰り返す。
【００１１】
また、遊技盤１の前面にはこの入賞装置Ａのほか、普通図柄表示装置２５，風車２６，普通電動役物３０，右肩入賞口３１，左袖入賞口３２，右袖入賞口３３，左下部入賞口３４，普通図柄表示装置３５，右下部入賞口３６，スタート口３７および電動大入賞口３８，３９が設けられている。そして、遊技球がスタート口３７に入ると普通図柄表示装置２５の表示図柄が変動し数秒後に予め決められた特定の図柄で停止した場合に普通電動役物１５が３秒ないし遊技球が１個入るまで開く。そしてその遊技球は案内樋１６，球誘導樋１４を通り回転動している受皿２上に落下する。
【００１２】
受皿２上に落下した遊技球ａは自重のためその凹面に沿って揺動すると同時に該受皿２が水平面内で回転動することによる遠心力を受けて不特定な面白い動きをし、遊技者は遊技中にその様子を直接、或いはミラー１８を通して見ることができる。そして遊技球ａはしばらくそのような動きをした後で特定入賞口１１または通常入賞口１２，１３に排出される。このため遊技者はどの入賞口に入賞するかを期待感を持って興味深く観察できる。
【００１３】
なお、受皿２を例えば５秒置きに逆転させるなど定期的に逆転させることで、受皿２上で揺動している遊技球ａは受皿２の外周方向により確実に動くようになるので、遊技球ａは一定時間受皿２上に滞留した後に確実に周囲のいずれかの入賞口に排出される。なお、受皿２上にて２個以上の遊技球ａが同時に乗った場合でもこれによって排出がさまたげられることなく確実に排出できる。
【００１４】
また、受皿２は偏心位置に設けられた支持軸４により偏心状態で回転するので、該受皿２の回転自体が揺動を伴い遊技球ａの動きを一層複雑な興味あるものにすることができる。
【００１５】
そして、特定領域口２０に遊技球ａが入賞した場合、普通電動役物３０が５．８秒間開作動し該普通電動役物３０にさらに遊技球が入賞すると普通図柄表示装置３５の表示図柄が変動し数秒後に特定の図柄で停止すると電動大入賞口３８が１．４秒間開き、その間に該電動大入賞口３８にまた遊技球が入賞すると約２．２秒休止後に電動大入賞口３９が４．８秒間開き、該電動大入賞口３９にさらに遊技球が入賞し易くなる。
【００１６】
一方、受皿２上の遊技球ａが通常入賞口１２または１３に入賞した場合は、上記のような特定入賞口１１に入賞したような遊技者にとって非常に有利な作動はしない。そしてこの場合、遊技者がパチンコ機を叩くなどして外部から振動を加えても遊技球ａを特定の入賞口に入賞し易くすることは殆ど困難となる。そして球センサ２１または球検出センサ２２，２３が作動をすることにより受皿２の回転は停止する。
【００１７】
なお、図５に示したように受皿２の上面に数個の小突起４０を形成すれば、遊技球ａは該小突起４０との衝突によってさらにランダムな動きをするようになり、一層興味深いものとなる。
【００１８】
【発明の効果】
このように本発明の弾球遊技機用入賞装置によれば、遊技球が受皿上に適宜時間滞留し非常に面白い動きをするので、パチンコ機等の弾球遊技を一層興味あるものにできると共に外部からの振動に影響を受けないなど種々の利点がある。
【図面の簡単な説明】
【図１】本発明に係る弾球遊技機用入賞装置の要部の斜視図。
【図２】本発明に係る弾球遊技機用入賞装置を遊技盤に取付けたときの縦断面図。
【図３】図２のＡ−Ａ線断面図。
【図４】本発明の弾球遊技機用入賞装置を取付けた遊技盤の正面図。
【図５】受皿の他の実施形態を示した斜視図。
【符号の説明】
１            遊技盤
２            受皿
４            支持軸
６            モータ
１１          特定入賞口
１２，１３    通常入賞口
４０          小突起
ａ            遊技球
【図１】
0004210351.tif 000002
【図５】
0004210351.tif 000003
【図２】
0004210351.tif 000004
【図３】
0004210351.tif 000005
【図４】
0004210351.tif 000006